(57)【要約】【課題】回転ヘッドを用いた記録再生装置において、回転ドラム内の回路基板に係るノイズ対策を講じるとともに、構成の複雑化を回避し、小型化、薄型化、低コスト化に支障を来たさないようにする。【解決手段】記録再生装置１において、ドラム内の回路基板１２には、信号再生又は記録用の回路及び電源回路、回転ドラム５に対して電気的に接続されるグランド部が形成されている。回転ドラム５に取り付けられた支持部材１１を用いて、ロータリートランス１０の回転側部分１０ｒ及び回路基板１２を支持することで、両者を近づけて配置させ、再生信号へのノイズの影響を低減する。そして、アース用接続部材として板バネ部品を用いて、回路基板１２のグランド部を支持部材１１に電気的に接続することで、回路基板１２へのノイズの影響を低減する。【選択図】        図１
2004178692.tif 000002
【特許請求の範囲】
【請求項１】
固定ドラムと、導電材料を用いて構成される回転ドラムを備え、該回転ドラムに設けられた磁気ヘッドによりテープ状記録媒体に係る信号の記録又は再生を行うとともに、ロータリートランスを介して信号伝送を行うように構成された回転式ヘッド装置において、
上記回転ドラム内に配置された回路基板が、信号再生又は信号記録用の回路及び電源回路を有するとともに、該回路基板には上記回転ドラムに対して電気的に接続されるグランド部が形成されており、
上記回転ドラムと上記固定ドラムとの間に形成される空間内で該回転ドラムに取り付けられた支持部材を用いて、上記ロータリートランスの回転側部分及び上記回路基板が支持されることで、該回路基板が該ロータリートランスの回転側部分の近傍に位置されている
ことを特徴とする回転式ヘッド装置。
【請求項２】
固定ドラムと、導電材料を用いて構成される回転ドラムを備え、該回転ドラムに設けられた磁気ヘッドによりテープ状記録媒体に係る信号の記録又は再生を行うとともに、ロータリートランスを介して信号伝送を行うように構成された回転式ヘッド装置において、
上記回転ドラム内に配置された回路基板が、信号再生又は信号記録用の回路及び電源回路を有するとともに、該回路基板には上記回転ドラムに対して電気的に接続されるグランド部が形成されており、
上記回転ドラムと上記固定ドラムとの間に形成される空間内で該回転ドラムに取り付けられた導電性の支持部材を用いて上記回路基板が支持されるとともに、該回路基板のグランド部が該支持部材に対して電気的に接続されている
ことを特徴とする回転式ヘッド装置。
【請求項３】
請求項１に記載した回転式ヘッド装置において、
回転軸及びその軸受部を有する固定ドラムと、該回転軸に取り付けられた回転ドラムを備えている
ことを特徴とする回転式ヘッド装置。
【請求項４】
請求項１に記載した回転式ヘッド装置において、
上記支持部材の一方の側に上記ロータリートランスの回転側部分が固定され、該支持部材の他方の側に上記回路基板が固定されている
ことを特徴とする回転式ヘッド装置。
【請求項５】
請求項１に記載した回転式ヘッド装置において、
上記磁気ヘッドを含むヘッド部に対向したヘッドコンタクトが上記回路基板に設けられており、該ヘッドコンタクトがこれに対応するヘッド部に弾接されることで上記回路基板とヘッド部とが電気的に接続されること
ことを特徴とする回転式ヘッド装置。
【請求項６】
請求項５に記載した回転式ヘッド装置において、
上記支持部材が上記回転ドラムに締結部材を用いて取り付けられている
ことを特徴とする回転式ヘッド装置。
【請求項７】
請求項２に記載した回転式ヘッド装置において、
上記ロータリートランス又は上記回路基板を支持する導電性の支持部材が回転ドラムに取り付けられており、該支持部材と上記回路基板のグランド部とを接続する導電性の接続部材が設けられている
ことを特徴とする回転式ヘッド装置。
【請求項８】
請求項７に記載した回転式ヘッド装置において、
弾性材料を用いて形成される上記接続部材が、リング状の保持部と接続片を有し、該保持部が上記支持部材の外周面に弾接され、該接続片が上記回路基板のグランド部に接続される
ことを特徴とする回転式ヘッド装置。
【請求項９】
請求項８に記載した回転式ヘッド装置において、
上記接続部材が板バネ材料を用いて形成され、上記保持部に形成された凸部が上記支持部材の外周面に点接触されている
ことを特徴とする回転式ヘッド装置。
【請求項１０】
請求項７に記載した回転式ヘッド装置において、
上記磁気ヘッドを含むヘッド部に対向したヘッドコンタクトが上記回路基板に設けられるとともに、該ヘッドコンタクトがこれに対応するヘッド部に弾接されることで上記回路基板とヘッド部とが電気的に接続されており、
複数の上記支持部材のうち、上記ヘッドコンタクトから離間した場所で上記回路基板を支持する支持部材に対して、その外周面に上記接続部材が弾接されている
ことを特徴とする回転式ヘッド装置。
【請求項１１】
固定ドラム及び導電材料を用いて構成される回転ドラムと、テープ状記録媒体に係るテープ走行手段を備えており、該回転ドラムに設けられた磁気ヘッドによりテープ状記録媒体に係る信号の記録又は再生を行う場合にロータリートランスを介して信号伝送を行うように構成された記録再生装置において、
上記回転ドラム内に配置された回路基板が、信号再生又は信号記録用の回路及び電源回路を有するとともに、該回路基板には上記回転ドラムに対して電気的に接続されるグランド部が形成されており、
上記回転ドラムと上記固定ドラムとの間に形成される空間内で該回転ドラムに取り付けられた支持部材を用いて、上記ロータリートランスの回転側部分及び上記回路基板が支持されることで、該回路基板が該ロータリートランスの回転側部分の近傍に位置されている
ことを特徴とする記録再生装置。
【請求項１２】
固定ドラム及び導電材料を用いて構成される回転ドラムと、テープ状記録媒体に係るテープ走行手段を備えており、該回転ドラムに設けられた磁気ヘッドによりテープ状記録媒体に係る信号の記録又は再生を行う場合にロータリートランスを介して信号伝送を行うように構成された記録再生装置において、
上記回転ドラム内に配置された回路基板が、信号再生又は信号記録用の回路及び電源回路を有するとともに、該回路基板には上記回転ドラムに対して電気的に接続されるグランド部が形成されており、
上記回転ドラムと上記固定ドラムとの間に形成される空間内で該回転ドラムに取り付けられた導電性の支持部材を用いて上記回路基板が支持されるとともに、該回路基板のグランド部が該支持部材に対して電気的に接続されている
ことを特徴とする記録再生装置。
【発明の詳細な説明】
【０００１】
【発明の属する技術分野】
本発明は、回転式ヘッド装置及びこれを用いた記録再生装置において、回転ドラム内に配置される回路基板や電子部品に係るノイズ対策の技術に関する。
【０００２】
【従来の技術】
テープ状記録媒体（磁気テープ等）に所望の情報を記録し又は記録した情報を電気信号として再生する記録再生装置においては、磁気ヘッドやロータリートランスを備えた回転式ヘッド装置（所謂回転ドラム装置）が用いられ、再生信号増幅回路や電源回路を備えた回路基板が回転ドラム内に配置されている。
【０００３】
磁気ヘッドには、誘導型ヘッドの他、磁気抵抗効果（Ｍａｇｎｅｔｏ  Ｒｅｓｉｓｔｉｖｅ  ｅｆｆｅｃｔ）素子を用いたヘッド（以下、「ＭＲヘッド」という。）が知られており、例えば、ＭＲヘッドの場合、回路基板上には、ＭＲヘッドにセンス電流を供給するための電源回路や、ＭＲヘッドからの再生信号を増幅する増幅回路等が設けられる。
【０００４】
回路基板に係るノイズ対策には、各種の方法が提案されており、例えば、回路基板のグランドパターンと回転ドラムとを電気的に接続して遮蔽効果を得る方法（例えば、特許文献１参照）として、導電性のバネ部材を用いた方法や、導電性ペースト材を用いる方法、コンタクトピン等の接続部材を用いる方法等、各種の形態が知られている。
【０００５】
また、回路基板を搭載した小型で薄型の回転ドラム装置においては、電源回路を構成する整流回路ブロックからのノイズが再生信号に与える影響を低減するために、例えば、再生信号を増幅する増幅回路ブロックと、整流回路ブロックとを分離し、各ブロックを別々の回路基板に配置するとともに、両者の間隔をできるだけ離すといった、アイソレーションの方法等が講じられている（例えば、特許文献２参照）。
【０００６】
【特許文献１】
特開２０００−３３１３０１号公報（図６乃至図９）
【特許文献２】
特開２００１−１８４６０６号公報（図１、図２）
【０００７】
【発明が解決しようとする課題】
しかしながら、従来の方法では、ノイズ遮蔽による電気的ノイズからの保護対策が充分でなかったり、あるいは当該対策を講じることに伴う種々の不都合が問題となる。また、再生信号へのノイズの影響を充分に低減できないか、又はノイズ低減によりＳ／Ｎ（信号対ノイズ）比を上げるための構成が複雑化したり、コスト上昇を伴う等の問題がある。
【０００８】
例えば、回路ブロック毎に別々の回路基板を用いる場合には、構造の複雑化に伴い部品点数や組立工数が増加して、コスト上昇の原因となる。そして、回転ドラム内で、複数の回路基板を配置するためのスペースを確保することが難しい（特に小型・薄型のドラム装置の場合）という問題がある。
【０００９】
また、回路基板と回転ドラムとの電気的な接続を確実に行うことが困難であるといった問題や、当該接続が可能ではあっても作業性に問題があり、時間がかかる等の不都合が挙げられる。この他、回転ドラムに内蔵される回路基板は、その配置スペースが限られてしまうので、実装部品の占有面積を極力少なくする等の配慮が必要となるが、そのために大幅な構成の変更を余儀なくされたのでは設計が面倒になる。
【００１０】
そこで、本発明は、回転式ヘッド装置及びこれを用いた記録再生装置において、回転ドラム内の回路基板に係るノイズ対策を充分に行うとともに、そのために構成が複雑化したり、小型化、薄型化、低コスト化に支障を来たさないようにすることを課題とする。
【００１１】
【課題を解決するための手段】
本発明の第一のものは、上記した課題を解決するために、下記に示す構成を備えたものである。
【００１２】
（Ａ）回転ドラム内に配置された回路基板が、信号再生又は記録用の回路及び電源回路を有するとともに、該回路基板には上記回転ドラムに対して電気的に接続されるグランド部が形成されていること。
【００１３】
（Ｂ）回転ドラムと固定ドラムとの間に形成される空間内で該回転ドラムに取り付けられた支持部材を用いて、ロータリートランスの回転側部分及び回路基板が支持されることで、該回路基板がロータリートランスの回転側部分の近傍に位置されていること。
【００１４】
従って、この発明によれば、支持部材を用いてロータリートランスの回転側部分と回路基板を接近させることで、再生信号へのノイズの影響を低減することができる。
【００１５】
また、本発明の第二のものは、上記した課題を解決するために、上記（Ａ）及び下記（Ｃ）に示す構成を備えたものである。
【００１６】
（Ｃ）回転ドラムと固定ドラムとの間に形成される空間内で該回転ドラムに取り付けられた導電性の支持部材を用いて回路基板が支持されるとともに、該回路基板のグランド部が該支持部材に対して電気的に接続されていること。
【００１７】
従って、この発明によれば、導電性の支持部材を利用して、回路基板のグランド部と回転ドラムとの間の電気的な接続を行うことにより、回路基板へのノイズの影響を低減することができる。
【００１８】
【発明の実施の形態】
図１は、本発明に係る回転式ヘッド装置を用いた記録再生装置の構成例について概略的に示したものである。
【００１９】
記録再生装置１は、テープ状記録媒体（以下、単に「テープ」という。）２に対して情報を記録し又はテープに記録された情報を再生するために回転式ヘッド装置３を備えている。尚、「記録再生装置」には、例えば、再生専用又は記録専用の装置や記録及び再生を行う装置が含まれる。
【００２０】
テープカセット４から外部に引き出されたテープ２は、その一部が回転式ヘッド装置３を構成するドラムに巻き付けられた状態で所定のテープパスに従って走行される。
【００２１】
回転式ヘッド装置３は、回転ドラム５及び固定ドラム６を用いて構成されており、回転ドラム５に付設された磁気ヘッド３ａを用いて、テープ２への磁気記録や情報再生が行われる。
【００２２】
図１の大円枠内に拡大して簡略的に示すように、固定ドラム６にはモータ部（ドラムモータ）７が設けられており、回転軸８の回りに回転ドラム５が回転駆動される。回転式ヘッド装置３内部の回路部と、その外部に設けられた信号処理部９との間で信号伝送を行うためにロータリートランス１０が用いられており、その固定側部分（ステータコア及びコイル）１０ｓが固定ドラム６に取り付けられ、回転側部分（ローターコア及びコイル）１０ｒが回転ドラム５に取り付けられている。
【００２３】
ロータリートランス１０の回転側部分１０ｒは、回転ドラム５に取り付けられた支持部材１１に固定されている。また、電源回路や増幅回路等を備えた回路基板１２が、回転側部分１０ｒに近接して配置されている（その詳細については後述する。）。
【００２４】
尚、キャプスタンやピンチローラ、テープガイドポスト等を含むテープ走行手段１３が設けられており、図示は省略するが、リール回転制御手段やドラム回転制御手段等を構成する、各種の駆動機構及びサーボ制御回路が設けられていることは勿論である（あるいは、これらを含めてテープ走行手段と考えれば良い。）。
【００２５】
図２は、本発明に係る回転式ヘッド装置の構成例を示すものであり、小型（薄型）化、軽量化及び低コスト化を実現するためにフランジレス構造を採用している。
【００２６】
回転式ヘッド装置３は、回転軸とその軸受部を有する固定ドラム６と、回転軸に取り付けられた回転ドラム５を備えており、上ドラム回転型とされている（回転軸方向を上下方向とした場合に、上ドラムが回転ドラムである。）。
【００２７】
固定ドラム６には、テープをガイドするためのリード（図示せず）が高い精度をもって加工されており、固定ドラム６の中心部には軸（回転軸）８及びその軸受部１４が設けられている。つまり、軸８の左側に部分的に切り欠いて示すように、軸８と一体化された軸受（ダイレクトベアリング）１５、１５が焼きばめにより組み立てられて軸受部１４に収容されている。
【００２８】
固定ドラム６において、軸受部１４の周囲には、回転ドラム５との間で回路部品等を収容する空間を形成するための凹部１６が形成されている。
【００２９】
ヘッドとの間で信号伝送を行うために、平面対向型のロータリートランス１０が用いられており、該ロータリートランスの固定側部分（ステータ）１０ｓが凹部１６内に配置されている。尚、このステータについては、その高さ出しを精度良く行うために、浮かし接着により凹部１６の内底面に取り付けられている。
【００３０】
ロータリートランス１０の回転側部分１０ｒを構成するコア（ローターコア）１０ｒｃは、導電材料を用いて構成される回転ドラム５に取り付けられた複数の支持部材１１、１１、１１（図にはその１つを断面で示す。）に浮かし接着により固定されている。本例では、支持部材１１として、金属等の導電性材料により形成された円筒状のボスを用いている。ボスの一端部に形成されたフランジ部１１ａにローターコア１０ｒｃが接着されており、ネジ等の締結部材１７によってボスが回転ドラム５に取り付けられている。尚、支持部材１１を接着で回転ドラムに取り付ける方法では、経年変化や接着条件等の影響を受け易く、また、後述するヘッドコンタクト（接触片）とヘッド部との接触圧を十分に確保することができないので、締結部材１７を用いて支持部材１１を回転ドラム５に固定することが好ましい。
【００３１】
支持部材１１の下端部のうち、ローターコア１０ｒｃが固定された方とは反対側（図２の上側）には、回路基板１２が固定されている。例えば、支持部材１１が、回路基板１２に形成された挿通孔に通された状態とされ、回路基板１２が支持部材１１に接着されている。このように、支持部材１１において、その一方の側にロータリートランス１０の回転側部分１０ｒを固定し、他方の側に回路基板１２を固定した構成は、ロータリートランス１０と回路基板１２との接近させて配置するのに有効である。
【００３２】
回路基板１２は、信号再生用又は信号記録用の回路及び電源回路を有しており、これらの回路を構成する電子部品１８、１８、…が実装されている。例えば、後述するように、再生ヘッド駆動用及び再生信号増幅用の回路部品や、整流平滑回路を含む電源回路の構成部品が基板上に取り付けられている。尚、回路部への電源供給はロータリートランス１０の巻線コイルにより伝送されるようになっており、各回路部と（ローター側の）コイルとの接続については、該コイルから引き出された線材を基板に半田付けすることで行われる。
【００３３】
また、回路基板１２には、ノイズ遮蔽のために、回転ドラム５に対して電気的に接続されるグランド部が形成されており、該グランド部は接続部材１９を用いて支持部材１１に対して電気的に接続されている（この点については後で詳述する。）。
【００３４】
このように、支持部材１１を用いてロータリートランス１０の回転側部分１０ｒ及び回路基板１２が支持されることにより、回路基板１２がローターコア及びコイルの近傍に位置された構成を有する。
【００３５】
回転ドラム５の下面部２０は、固定ドラム６の凹部１６とともに、ロータリートランス１０や回路基板１２、支持部材１１等の収容空間を形成しており、再生ヘッド又は記録ヘッド、ヘッドベース等を含むヘッド部２１、２１、…（図２には１つだけを示す。）が下面部２０にネジ止めで取り付けられている。そして、各ヘッド部２１に対向した回路基板１２の実装面（上面）にはヘッドコンタクト２２、２２、…（図２には１つだけを示す。）が取り付けられており、該ヘッドコンタクト２２とヘッド部２１の接点とが接触した状態において、回路基板１２と磁気ヘッドとが電気的に接続される。尚、自動実装が可能なバネ式のヘッドコンタクトを用いることにより簡単で信頼性の高い接続を行うことができる。
【００３６】
回転ドラム５の下面部２０には、この他、バランスウエイト２３が取り付けられており、図では軸８を挟んでヘッド部２１とは反対側の位置に付設されている。
【００３７】
また、回転ドラム５の上面には回転バランス調整用リング２４が取り付けられ、鋼球２５、２５、…が挿入されている。
【００３８】
尚、回転ドラム５を駆動するモータ部２６が固定ドラム６の底部に設けられている。該モータ部２６は、軸８に取り付けられた支持板２７と、該支持板２７に付設されたマグネット２８及びバックヨーク２９、そして、該マグネット２８とバックヨーク２９との間に配置されたコイル部３０を備えており、該コイル部３０は固定ドラム６に取り付けられている。
【００３９】
本例に示す回転式ヘッド装置３では、軸受部１４のハウジングを構成する部材（フランジ）を用いていないので、固定ドラム６の軸８を、回転ドラム５に形成された軸孔５ａに圧入することで両ドラムが一体化される。即ち、回転式ヘッド装置３は、回転軸及びその軸受部を有する固定ドラムと、回転軸に取り付けられた回転ドラムとから構成されるので、その組立工程においては、軸８を軸孔５ａに圧入しながら、ロータリートランス１０の相互インダクタンスを測定し、その値が目標値に達した時点で軸８の圧入を終了させれば良い。フランジを使用しない分、部品点数及び作業工数を削減でき、コスト面で有利になる。また、後述するように電源回路や再生信号増幅回路等を同一回路基板上に配置させることにより、部品点数（基板数）を減らすことができ、回路基板の配置スペースが少なくて済む。
【００４０】
尚、本構成では、回転バランス調整用リング２４への鋼球２５の挿入及び上記バックヨーク２９の位置調整（取付位置を軸８に対してずらすこと）により、バランス調整用の専用部品を用いることなく回転バランスを調整して、不要振動を低減させることができるので、部品点数及び組立工数を削減できる。また、磁気抵抗効果型の再生ヘッドを用いることで、再生信号出力を高く保つことができるので、軸８の上端面に接触させてアースをとるための軸アース部材等の機構が不要であり、その分、さらに装置を薄型にすることができる。
【００４１】
回転式ヘッド装置３では、ロータリートランス１０の回転側部分１０ｒの取付において、これを支持部材１１（３本の金属製ボス）のフランジ部１１ａに接着し、該支持部材１１の回転ドラム５への取付には、導電性の締結部材１７（例えば、金属製のネジ）で締め付けるという方法を採用している。そのため、回路基板１２に形成されたグランドパターンと回転ドラム５との電気的接続を行うには、回路基板１２のグランド部と支持部材１１とを接続すれば済む。本例では、アース用の接続部材１９として、リング状をした金属製の板バネ部品を用いて回路基板１２のグランド部と支持部材１１とを接続する構成形態を採用している。
【００４２】
図３は接続部材の概略図を示したものであり、（Ａ）図が平面図、（Ｂ）図が側面図である。
【００４３】
支持部材１１と回路基板１２のグランド部とを接続するための接続部材１９は弾性材料を用いて形成され、リング状の保持部１９ａと接続片１９ｂを有する。本例では、りん青銅等の板バネ材料が用いられており、リング状をしたバネ部が保持部１９ａとして、支持部材（円筒状ボス）１１の外周面（側面）に弾接される。保持部１９ａの内面には、複数の凸部１９ｃ、１９ｃ、…が形成されており、これらは支持部材１１の外周面に点接触される。例えば、Ｃ字状の保持部１９ａにおいて、接続片１９ｂが形成された部分の内面に凸部１９ｃが１つ形成されるとともに、保持部１９ａの両端寄りの内面に凸部１９ｃ、１９ｃがそれぞれ１個ずつ形成されている。これらの凸部１９ｃを用いて３点で支持部材１１に点接触させることで、接触抵抗を減らすことができる。
【００４４】
保持部１９ａと一体に形成された接続片１９ｂは、回路基板１２のグランド部に半田付けで接続されるように、Ｌ字状に屈曲された舌片として形成されている。
【００４５】
このような接続部材１９を用いた形態は、電気的接続の確実性や、回路基板への実装時の作業性、コストの面で従来の形態よりも効果的である。
【００４６】
例えば、導電性バネ部材を用いる方法には、板バネの一端部を支持部材１１に圧着させるとともに、板バネの他端部を回路基板のグランド部に半田付けする形態や、Ｕ字状の導電性バネを用いて回転ドラムと回路基板のグランド部を接続する形態等が挙げられるが、接続の確実性や回路基板上での占有面積を考慮した場合には問題が残るので、上記した接続部材１９を用いることが好ましい。つまり、本例では、接続片１９ｂを基板のグランド部に半田付けで固定した場合に、この部分に大きな荷重がかからないようにし、また、回路基板１２上に接続部材１９を実装する際の占有面積をとり過ぎないようにすることができる（取付部品の占有面積が大きいと、他の回路部品の取り付けに支障を来たす虞がある。）。
【００４７】
また、導電性ペースト材等を用いる方法では、ペースト材等を硬化させるために、これを長時間の高温下に曝す必要があり、作業性に問題があるが、上記の接続部材１９を用いる方法では、取り付けが簡単であって手間がかからないという利点が得られる。そして、接続部材としてコンタクトピンや異方性導電接触端子等を用いる方法に比して安価な材料を用いることができるので、コスト面でも有利である。
【００４８】
図４及び図５は、接続部材１９の取付状態を例示したものであり、図４は図２に「α」で示す破線枠の範囲における要部の拡大断面図、図５は上方から見た要部の拡大断面図である。
【００４９】
接続部材１９は、その保持部１９ａに形成された各凸部１９ｃが支持部材１１の外周面に弾接され、接続片１９ｂが回路基板１２のグランド部３１の接続領域に半田付けされている。
【００５０】
尚、回路基板（多層基板等）１２には、図４の大円枠内に拡大して概略的に示すように、そのグランド部３１が、グランドパターン層３２、スルーホール部３３、接続領域３４で構成されている。つまり、回路基板の一層（最下層）としてグランドパターン層３２が形成されており、これがスルーホール部３３の導体を介して最上層の接続領域３４に接続されている。そして、接続領域３４に接続片１９ｂが半田付けで接続され、保持部１９ａの各凸部１９ｃが支持部材１１の外周面に接触されることで、グランド部３１と回転ドラム５とが電気的に接続される。
【００５１】
支持部材１１は、上記したように締結部材１７を用いて回転ドラム５に取り付けられており、支持部材１１のフランジ部１１ａの下面にロータリートランス１０のローターコア１０ｒｃが接着され、フランジ部１１ａの上面に回路基板１２が接着手段（接着テープ等）３５により固定されている。尚、回路基板１２とロータリートランス１０のロータコア１０ｒｃとの間には接着手段３５が介在されることで僅かな間隙が生じているが、これは、回路基板１２に形成されたグランドパターン層３２がローターコア１０ｒｃに接触しないように絶縁するためである。
【００５２】
支持部材１１の上端面は、締結部材１７を用いて回転ドラム５にネジ止めする際の着座面となるため、この面が傷つくとネジ止め後の振れ精度が悪化する虞がある。つまり、ロータリートランス１０のローターコア１０ｒｃの取付姿勢（傾き）に影響が出る虞があるので、接続部材１９を支持部材１１の軸端側から嵌め込む構造は避けるべきである。そこで、接続部材１９の保持部１９ａを支持部材１１の外周面に弾接させることにより、支持部材１１の上端面が傷つかないようにすることが好ましい。そのために、リング状の保持部１９ａは、板バネ材料を使って大きく切り開いた形状をしている。
【００５３】
また、保持部１９ａの形状を支持部材１１の外径に最適化するための設計によって、保持部１９ａを支持部材１１に側面から取り付けたときに、接続部材１９の各凸部１９ｃを、支持部材１１の外周面に対して適度な接点圧をもって接触させることができる。そして、このとき、接続片１９ｂをグランド部３１の接続領域３４に半田付けで接続することにより、回路基板１２と支持部材１１、さらに回転ドラム５との電気的接続を確実に得ることができる。尚、保持部１９ａと支持部材１１の外周面との間の間隔が大きいと、回路基板１２上の実装部品との干渉が問題となるので、保持部１９ａと支持部材１１の外周面との間隙を極力小さくすることが好ましい（この間隙をなくしても良いが、上記の接点圧を確保するのが難しくなる。）。
【００５４】
図６は図２に「β」で示す破線枠の範囲について要部を示す拡大断面図であり、図７は電子部品が実装された回路基板１２の一例を示した平面図である。また、図８は、ロータリートランスや回路基板を取り外した状態の回転ドラム５を下面部２０側からみた図である。
【００５５】
回路基板１２は、図７の紙面に直交する中心軸からみてリング状をなし、その中心円孔１２ａに上記した軸８及び軸受部１４が挿通される。
【００５６】
基板上には、４つのヘッドコンタクト２２ａ、２２ａ及び２２ｂ、２２ｂが配置されている。そのうちの２２ａ、２２ａは再生用のヘッド部２１ａ、２１ａとの接続用に設けられたもので、図の左右方向において中心円孔１２ａの中心軸に関して対称的に位置されている。また、ヘッドコンタクト２２ｂ、２２ｂは記録用のヘッド部２１ｂ、２１ｂとの接続用に設けられており、中心円孔１２ａの中心軸回りに、ヘッドコンタクト２２ａ、２２ａから所定の角度間隔をもって図の上方に配置されている。尚、図８に示すように、２つの記録用ヘッドが近接した位置関係を有する。これは両者を近づけることにより、回転ブレに起因するヘッド高さの違いを少なくするためである。
【００５７】
本例では、支持部材１１として３つのボス１１Ａ、１１Ｂ、１１Ｃが用いられており、ボス１１Ａ、１１Ｂがヘッドコンタクト２２ａと２２ｂとの間にそれぞれ位置されている。そして、ボス１１Ｃは、中心円孔１２ａの中心軸を挟んでヘッドコンタクト２２ｂ、２２ｂとは反対側（図の下方）に位置されていて、ボス１１Ｃの側面に接続部材１９が弾接された状態で基板に取り付けられている（図５はボス１１Ｃ及びその近辺を示している。）。尚、接続部材１９は、中心円孔１２ａを挟んでヘッドコンタクト２２ｂ、２２ｂとは反対側に位置するボス１１Ｃに接続されている。つまり、ヘッドコンタクト２２ｂ、２２ｂから離間した場所に位置された支持部材（１１Ｃ）に対してのみ、その外周面に接続部材１９が弾接されている理由は、各ヘッドコンタクトの配置が中心円孔１２ａの中心軸回りに回転対称性を有さないことを考慮したものである。回路基板１２には、ヘッドコンタクトとヘッド部の接点とが接触されるときの接触圧の反力が加わることを考慮して、バランス良く回路基板１２を支持するためには、ヘッドコンタクト２２ｂ、２２ｂの近辺に位置するボス１１Ａ、１１Ｂよりも、ヘッドコンタクト２２ｂ、２２ｂから離れたところに位置するボス１１Ｃに対して接続部材１９を設ける方が好ましい。
【００５８】
ボス１１Ｃはドラム外周縁寄りに位置しており、この近辺にはグランド部３１及び整流回路ブロックを構成する実装部品３６、３６、…が配置されている。つまり、図７においてボス１１Ｃの左下にグランド部３１との接続領域３４が位置され、ボス１１Ｃの左横に、整流回路ブロックの各部品が実装されている（ノイズ低減のためには、整流回路ブロックをグランド部３１に対して極力近い場所に配置することが好ましい。）。
【００５９】
尚、整流回路ブロックの上方やボス１１Ｃの右方には、再生アンプブロック等を構成する実装部品１８、１８、…が配置されている。
【００６０】
図９は、記録再生装置１における要部の回路構成例３７を示したものである。
【００６１】
ロータリートランス１０の固定側回路については、電力伝送部３８、再生信号処理部３９、記録信号処理部４０が設けられており、各回路部がロータリートランス１０のステータコイル（ｓｃ１〜５）にそれぞれ接続されている。
【００６２】
電力伝送部３８は、正弦波又は矩形波の交流出力を回転ドラム内の電源部に伝送するためのドライブ回路を備えており、ロータリートランス１０のステータコイルｓｃ１に接続されている。即ち、電力伝送部３８の交流出力がステータコイルｓｃ１からその２次側のコイルｒｃ１に伝送されて整流回路ブロック４１に供給される。
【００６３】
回路部１２ｂは、回路基板１２上に形成された回路を示している。
【００６４】
電源部（電源回路）を構成する整流回路ブロック４１は、コイルｒｃ１から入力される交流電力を直流電力に変換するものであり、整流及び平滑作用を有する（図にはダイオード及びコンデンサの記号により簡易的に示す。）。そして、整流回路ブロック４１の直流出力は、安定化電源回路４２（図には「ＲＥＧ」で示す。）に供給される。
【００６５】
安定化電源回路４２には電圧レギュレータ回路が用いられ、整流回路ブロック４１からの直流電源電圧の変動を抑制して一定の電源電圧を生成して、再生アンプ４３、４４（図には「ＰＢ  ＡＭＰ」で示す。）に供給する。尚、安定化電源回路４２は、再生アンプ４３、４４とともに再生アンプブロック４５を構成しており、これらの回路及び整流回路ブロック４１は、同一回路基板１２上に配置されている。
【００６６】
再生アンプ４３、４４は、再生ヘッド４６、４７に対して各別に設けられている。再生ヘッドとしては、インダクティブ（誘導型）ヘッドやＭＲヘッド、あるいはＧＭＲ（巨大磁気抵抗効果）ヘッド等を使用することができるが、本例ではＭＲヘッドが用いられている。これらの再生アンプはＭＲヘッドの駆動に必要なセンス電流を該ヘッドに供給することでバイアス磁界を発生させるとともに、ＭＲヘッドにより磁気テープから読み取った信号を増幅する役割を有する。増幅後の信号は、ロータリートランス１０を介して再生信号処理部３９内のバッファアップに送出される。尚、再生アンプ４３の出力端子がロータリートランス１０のローターコイルｒｃ２に接続され、再生アンプ４４の出力端子がロータリートランス１０のローターコイルｒｃ３に接続されている。
【００６７】
記録信号処理については、記録信号処理部４０を構成するバッファアンプの出力信号がロータリートランス１０を介して回転ドラムに伝送されて記録ヘッド４８、４９に供給される。即ち、記録信号処理部４０の出力端子は、ロータリートランス１０のステータコイルｓｃ４、ｓｃ５にそれぞれ接続されており、ロータリートランス１０のローターコイルｒｃ４、ｒｃ５が記録ヘッド４８、４９にそれぞれ接続されている。各記録ヘッドには誘導型ヘッドが用いられ、記録信号が磁気テープに書き込まれる。尚、回転ドラム内に記録アンプ等の回路を搭載した構成を採用する場合には、当該回路がロータリートランスのローターコイルと記録ヘッドとの間に介挿されるが、その際、記録アンプ等の回路基板を上記回路基板１２とは別の基板にすることで分離する形態（例えば、記録と再生を同時的に行う場合等）と、両回路基板を同一基板とする形態が挙げられる。
【００６８】
再生信号へのノイズの影響を低減するには、整流回路ブロック４１とロータリートランス１０との距離（図７の「Ｌ」参照）を極力短くすることが好ましい。これは、整流回路ブロック４１とローターコイルｒｃ１との間の伝送ラインから発生するノイズを、再生ヘッド等が拾わないようにするためである。この理由により、回路基板１２をロータリートランス１０のローターコア１０ｒｃに接近させた構成が望ましい。そして、再生ヘッドと再生アンプとの間が離れていると信号ラインにノイズが混入し易いので、再生ヘッドと回路基板とを接近させるために、上記したヘッドコンタクト２２を用いて回路基板１２とヘッド部２１とを接続する。
【００６９】
以上のように、ロータリートランスと回路基板、ヘッド部を極力近づけた構成を採用することにより、信号ノイズを低減でき、Ｓ／Ｎ比を上げることができる。また、整流回路ブロックと再生アンプブロックとを別々の回路基板上に配置させることなく、両ブロックを同一基板上に配置させることができるので、回路基板の配置スペースの確保という点で有利となり、装置の小型化、薄型化に適している。
【００７０】
しかして、上記した構成によれば、下記に示す各種の利点が得られる。
【００７１】
・整流回路ブロックと再生アンプブロックを同一基板上に配置することにより省スペース化を図り、部品点数及び組立工数を減らすことができる。また、ドラム装置の薄型化及び低コスト化が可能である。
【００７２】
・ヘッド、ロータリートランスに対して、再生アンプを搭載した基板を接近させることにより、これまで問題視されてきた信号ノイズを低減することができる。
【００７３】
・回路基板のグランド部と回転ドラムとの電気的接続を簡便かつ確実に行うことができ、回路基板を電気的ノイズから遮蔽して保護することができる。
【００７４】
・板バネ部品として形成されるアース用の接続部材を、ドラム外周寄りの位置において回路基板のグランド部に、容易に取り付けることができ、半田付けの作業性が良好である。
【００７５】
・支持部材（ボス）と回路基板は接着シート等を用いて接着されるが、接続部材を支持部材に取り付けることによって、確実な支持が可能になる（接着手段の剥がれを防ぐことができる。）。
【００７６】
・接続部材を板バネ部品として形成する場合に、これをプレス加工で製作できるため、コストを低くすることができる。
【００７７】
【発明の効果】
以上に記載したところから明らかなように、請求項１や請求項１１に係る発明によれば、支持部材を用いてロータリートランスと回路基板を接近させることで、再生信号へのノイズの影響を低減することができるので、構成の複雑化を伴うことなく、しかも装置の薄型化や低コスト化に支障を来たすことなく、記録性能や再生性能の低下を防止できる。
【００７８】
請求項２や請求項１２に係る発明によれば、導電性の支持部材を利用して、回路基板のグランド部と回転ドラムとの間の電気的な接続を行うことにより、回路基板へのノイズの影響を低減することができるので、アース接続の処理を容易に行うことができる。
【００７９】
請求項３に係る発明によれば、フランジレス構造を採用することので部品点数及びコストを削減することができる。
【００８０】
請求項４に係る発明によれば、ロータリートランスと回路基板とを接近させた配置をとることができる。
【００８１】
請求項５や請求項１０に係る発明によれば、ヘッド部と回路基板を近接させることで、信号ノイズを低減することができる。
【００８２】
請求項６に係る発明によれば、ヘッドコンタクトとヘッド部との接触により回路基板が受ける力に対して回路基板やロータリートランスの回転側部分を確実に支持することができる。
【００８３】
請求項７や請求項８に係る発明によれば、接続部材を用いて支持部材と回路基板のグランド部との接続を確実に行うことができる。
【００８４】
請求項９に係る発明によれば、支持部材に対して適度な接触圧をもって接続部材を弾接させることができるとともに、接続部材の接続片に大きな荷重がかからないようにすることができる。
【００８５】
請求項１０に係る発明によれば、ヘッドコンタクトとヘッド部との接触により回路基板が受ける反力の影響を低減して、回路基板を確実に支持することができる。
【００８６】
請求項１１や請求項１２に係る発明によれば、回転式ヘッド装置を用いた記録再生装置への適用において、Ｓ／Ｎ比及び性能の向上を図ることができる。
【図面の簡単な説明】
【図１】本発明に係る記録再生装置の構成例を示す概略図である。
【図２】本発明に係る回転式ヘッド装置の構成例を示す図である。
【図３】本発明において使用する接続部材の構成例を示すもので、左方の（Ａ）に平面図を示し、右方の（Ｂ）に側面図を示す。
【図４】支持部材に接続部材を取り付けた状態を示す要部の拡大断面図である。
【図５】図４とは異なる方向（上下方向）からみた要部の拡大断面図である。
【図６】ヘッド部とヘッドコンタクトの接続状態を示す要部の拡大断面図である。
【図７】回路基板上の部品配置について一例を示す平面図である。
【図８】回転ドラムにおけるヘッド部の配置例を示す図である。
【図９】要部の回路について電気的な接続関係を示す回路ブロック図である。
【符号の説明】
１…記録再生装置、２…テープ状記録媒体、３…回転式ヘッド装置、３ａ…磁気ヘッド、５…回転ドラム、６…固定ドラム、８…回転軸、１０…ロータリートランス、１０ｒ…回転側部分、１１、１１Ａ、１１Ｂ、１１Ｃ…支持部材、１２…回路基板、１７…締結部材、１９…接続部材、１９ａ…保持部、１９ｂ…接続片、１９ｃ…凸部、２１、２１ａ、２１ｂ…ヘッド部、２２、２２ａ、２２ｂ…ヘッドコンタクト、３１…グランド部、４１、４２…電源回路
【図１】
2004178692.tif 000003
【図２】
2004178692.tif 000004
【図３】
2004178692.tif 000005
【図４】
2004178692.tif 000006
【図５】
2004178692.tif 000007
【図６】
2004178692.tif 000008
【図７】
2004178692.tif 000009
【図８】
2004178692.tif 000010
【図９】
2004178692.tif 000011